(57)【要約】【課題】電動ポリッシャーに用いるポリッシャー用パットの消耗の激しい外周部において、潤滑性、柔軟性、弾力性、且つ、強度を有するようにすることにより、コストアップを軽減し長期間安定して使用することができるポリッシャー用パットを提供する。【解決手段】  ポリッシャー用パット１００のパット本体部１０は、第１の面１０ａと第２の面１０ｂと外周部１０ｃを有し、外周部１０ｃに混錬部材Ｋが含浸されている。混錬部材Ｋは、アクリルエラストマエマルジョン樹脂をバインダーとして、フッ素樹脂、シリコン及びタルクが混錬されている。混錬部材Ｋを、外周部１０ｃに塗布し含浸させ固着させることで、外周部１０ｃの潤滑性、柔軟性、弾力性、強度などを向上させることができ、すべりをよくすることができ、力が分散され均等に伝わるという効果を有し、張り合わせにおける層間剥離を防止することができる。【選択図】図１
0003220767.tif 000002
【実用新案登録請求の範囲】
【請求項１】
円盤状に形成されており、第１の面と第２の面と外周部を有するパット本体と、前記円盤状の中心部に設けられた円形の開口を有し、電動ポリッシャーの回転するパット台に前記第１の面が貼り付けられた状態で、前記第２の面を床面に接触させることにより、前記床面の洗浄、ツヤダシ及びワックス剥離をするポリッシャー用パットであって、
前記外周部に複数の部材が混錬された混錬部材が含浸されていることを特徴とするポリッシャー用パット。
【請求項２】
前記混錬部材の複数の部材は、フッ素樹脂、シリコン、タルク及びアクリルエラストマエマルジョン樹脂であり、
前記アクリルエラストマエマルジョン樹脂をバインダーとして、前記フッ素樹脂、シリコン及びタルクが混錬された前記混錬部材を、前記外周部に塗布し含浸させ固着させることを特徴とする請求項１に記載のポリッシャー用パット。
【請求項３】
前記混錬部材の前記外周部への含浸は、５ｍｍから１０ｍｍの前記パット本体の内部までであることを特徴とする請求項２に記載のポリッシャー用パット。
【請求項４】
前記パット台に前記第１の面を貼り付ける機能は、面ファスナーであることを特徴とする請求項２または請求項３に記載のポリッシャー用パット。
【請求項５】
前記パット本体は、前記第１の面を有する前記面ファスナーで形成された部材と、前記第２の面を有するポリエステルで形成された部材と、前記面ファスナーで形成された部材と前記ポリエステルで形成された部材の間に設けられたウレタンスポンジまたはメラニンスポンジで形成された部材を有することを特徴とする請求項４に記載のポリッシャー用パット。
【請求項６】
前記混錬部材の複数の部材は、必要に応じて粉砕したクルミの殻または杏子の種を、さらに有することを特徴とする請求項２から請求項５のいずれかに記載のポリッシャー用パット。
【請求項７】
前記開口部にパイプが嵌め込まれ、前記パイプを回転させながら前記外周部に前記混錬部材を塗布することを特徴とする請求項２から請求項６に記載のポリッシャー用パット。
【請求項８】
前記回転は、ギャドモーターを用いて０から数十回の回転をするように制御されることを特徴とする請求項７に記載のポリッシャー用パット。
【考案の詳細な説明】
【技術分野】
【０００１】
本考案は、ポリッシャー用パットに関する。
【背景技術】
【０００２】
従来より、ビルメンテナンスなどに使用される床用洗浄、ツヤダシ、ワックス剥離作業などを行う床用電動ポリッシャー、小傷落とし、強固な水垢落としなどを行う車用電動ポリッシャーなどが普及しており、これらの電動ポリッシャーに用いるポリッシャー用パットは、ナイロン不織布、ウレタンスポンジ、メラニンスポンジなどの素材が使用されている。例えば、被清掃面の粗度や汚れの程度の如何にかかわらず被清掃面を容易、確実に清掃し、ブラシ部に液状洗剤を含浸させ液状洗剤が周囲にこぼれ落ちることのないようにしたポリッシャー用のパットが開示されている。
【先行技術文献】
【特許文献】
【０００３】
【特許文献１】特開２００１−１４５５９５号公報
【考案の概要】
【考案が解決しようとする課題】
【０００４】
上記の電動ポリッシャーは、例えば、１０ｋｇから２０ｋｇの重量のものもあり、床材に接触させ回転させることで床材の汚れ落しなどの作業を行うものである。このように電動ポリッシャーの重さは、一定の重量が必要であり、パットを回転させることによりこのパットの外周部が構造物に接触した場合など外周部に力がかかることで激しく消耗し、パットがちぎれることもあり使用不可能となるという問題が生じていた。
【０００５】
ポリッシャー用パットは、例えば、ダイヤモンド粒子などを加工した高価な製品のものもあり、また、床面の素材も、さまざまなものがあり石材エンボス材などパットの消耗が著しいものもある。このようなパットの消耗によるコストアップを軽減し長く使用できるポリッシャー用パットが求められていた。特に、このようなパットの消耗は外周部において激しいことより、床用、車用などの電動ポリッシャーに用いるパットの外周部の改善が求められていた。
【０００６】
そこで本考案は、このような課題を解決するためになされたもので、電動ポリッシャーに用いるポリッシャー用パットの消耗の激しい外周部において、潤滑性、柔軟性、弾力性、且つ、強度を有するようにすることにより、コストアップを軽減し長期間安定して使用することができるポリッシャー用パットを提供するものである。
【課題を解決するための手段】
【０００７】
上記課題を解決するために、本考案に係るポリッシャー用パットは、円盤状に形成されており、第１の面と第２の面と外周部を有するパット本体と、前記円盤状の中心部に設けられた円形の開口を有し、電動ポリッシャーの回転するパット台に前記第１の面が貼り付けられた状態で、前記第２の面を床面に接触させることにより、前記床面の洗浄、ツヤダシ及びワックス剥離をするポリッシャー用パットであって、前記外周部に複数の部材が混錬された混錬部材が含浸されていることを特徴とする。
【０００８】
本考案に係るポリッシャー用パットの態様について、前記混錬部材の複数の部材は、フッ素樹脂、シリコン、タルク及びアクリルエラストマエマルジョン樹脂であり、前記アクリルエラストマエマルジョン樹脂をバインダーとして、前記フッ素樹脂、シリコン及びタルクが混錬された前記混錬部材を、前記外周部に塗布し含浸させ固着させることが好ましく、また、前記混錬部材の前記外周部への含浸は、５ｍｍから１０ｍｍの前記パット本体の内部までであるこが好ましい。
【０００９】
本考案に係るポリッシャー用パットの態様について、前記パット台に前記第１の面を貼り付ける機能は、面ファスナーであることが好ましく、また、前記パット本体は、前記第１の面を有する前記面ファスナーで形成された部材と、前記第２の面を有するポリエステルで形成された部材と、前記面ファスナーで形成された部材と前記ポリエステルで形成された部材の間に設けられたウレタンスポンジまたはメラニンスポンジで形成された部材を有することが好ましい。
【００１０】
本考案に係るポリッシャー用パットの態様について、前記混錬部材の複数の部材は、必要に応じて粉砕したクルミの殻または杏子の種を、さらに有することが好ましい。
【００１１】
本考案に係るポリッシャー用パットの態様について、前記開口部にパイプが嵌め込まれ、前記パイプを回転させながら前記外周部に前記混錬部材を塗布することが好ましい。また、前記回転は、ギャドモーターを用いて０から数十回の回転をするように制御されることが好ましい。
【考案の効果】
【００１２】
本考案によれば、電動ポリッシャーに用いるポリッシャー用パットの消耗の激しい外周部において、潤滑性、柔軟性、弾力性、且つ、強度を有するようにすることにより、コストアップを軽減し長期間安定して使用することができるポリッシャー用パットを提供することができる。
【図面の簡単な説明】
【００１３】
【図１】実施形態のポリッシャー用パットの一例を示す模式図である。
【考案を実施するための形態】
【００１４】
以下、本考案のポリッシャー用パット１００の実施形態を、図１を用いて説明する。図１(ａ)は、ポリッシャー用パット１００を斜めから見た模式図であり、図１(ｂ)は、ポリッシャー用パット１００を横から見た模式図である。なお、電動ポリッシャーは、床用、車用などがあり、本考案は、これらの電動ポリッシャーに用いるパットとして開発されたものである。
【００１５】
ポリッシャー用パット１００は、パット本体部１０と開口２０を有し、パット本体部１０は、円盤状に形成されており、第１の面１０ａと第２の面１０ｂと外周部１０ｃを有している。開口２０は、円形でありパット本体部１０の円盤状の中心部に設けられている。
【００１６】
ポリッシャー用パット１００は、電動ポリッシャーの回転するパット台に第１の面１０ａが貼り付けられた状態で、第２の面１０ｂを床面に接触させることにより、床面の洗浄、ツヤダシ及びワックス剥離をするものであり、本考案の特徴として外周部１０ｃに複数の部材が混錬された混錬部材Ｋが含浸されている。
【００１７】
混錬部材Ｋの複数の部材は、この例において、フッ素樹脂、シリコン、タルク及びアクリルエラストマエマルジョン樹脂であり、アクリルエラストマエマルジョン樹脂をバインダーとして、フッ素樹脂、シリコン及びタルクが混錬されたものである。
【００１８】
この混錬部材Ｋを、外周部１０ｃに塗布し含浸させ固着させることで、強度を上げることができ、接触するときなどに潤滑機能、つまりすべりをよくすることができ、ショックなどを和らげることができるという効果を有し、また、ゴム系樹脂などにおいて、弾力性により加わる力が分散され均等に伝わるという効果を有し、さらに、このような効果により張り合わせにおける層間剥離を防止することができる。なお、必須の構成ではないが、混錬部材Ｋを第２の面１０ｂの一部または全部に含浸させてもよい。
【００１９】
混錬部材Ｋの外周部１０ｃへの含浸は、外周部１０ｃから中心部に向かい５ｍｍから１０ｍｍのパット本体の内部までであることが望ましいが、これは一例であり適宜最適な構成にすればよい。また、パット台に第１の面１０ａを貼り付ける機能は、面ファスナー１１であることが望ましいが、これは一例であり適宜最適な機能を選択すればよい。
【００２０】
この例において、パット本体１０は、第１の面１０ａを有する面ファスナー１１で形成された部材と、第２の面１０ｂを有するポリエステル１２で形成された部材と、面ファスナー１１で形成された部材とポリエステル１２で形成された部材の間に設けられたウレタンスポンジ、メラニンスポンジなどのスポンジ１３で形成された部材で構成されている。なお、上記の構成は一例であり、これに限定されずポリッシャー用パット１００は、使用形態により使用する部材、種類など適宜最適なものを選択すればよい。
【００２１】
また、混錬部材Ｋの複数の部材は、必要に応じて、粉砕したクルミの殻または杏子の種をさらに有する構成であってもよく、これは骨材としての機能を有し、例えば最適な硬さなどにすることができるものである。なお、上記のクルミ及び杏子は一例でありこれに限定されず、必要に応じて適宜最適なものを選択すればよい。
【００２２】
本考案は、市販されている通常のポリッシャーに用いるパットに対して、混錬部材Ｋを簡易に含浸させることができるものであり、例えば、通常のパットの開口にパイプを嵌め込み、パイプを回転させることで、回転しているパットの外周部に混錬部材Ｋを塗布させ含浸させ、固着させることができ、上記の回転は、塗布された混錬部材Ｋが上方に向かうようにするとよい。なお、上記のパットは複数でもよく、また、上記の回転は、ギャドモーターを用いて０から数十回の回転となるように制御される構成であってもよい。
【００２３】
このようなポリッシャー用パット１００は、重量のある電動ポリッシャーに用いるものであり、特に外周部１０ｃの劣化、消耗、剥離などの問題があり、このような問題を本考案のポリッシャー用パット１００を使用することで解決することができる。すなわち、本考案のポリッシャー用パット１００を用いることにより、劣化、消耗などの激しい外周部１０ｃにおいて、潤滑性、柔軟性、弾力性、且つ、強度を有するようになり、コストアップを軽減し安定して長期間使用することができる。また、本考案は、一般に市販されている製品に対しても後加工することができ、より長期の安定した使用が可能となり、ビルメンテナンス作業などの時間的経済的効果が十分期待されるものである。
【００２４】
以上、本考案の有する特徴及び優れた点を上記実施形態に記載したが、本考案は、本考案の原理の範囲内で、本願の実用新案登録請求の範囲で使用されている言葉を広く一般的な意味にまで広げて実施することができる。
【００２５】
また、本考案の電動ポリッシャー用パットの大きさや形状、素材の厚さ、重さなどについては多様な実施形態が可能であり、それらについて本実施形態と異なる形態による実施は、本考案の技術的範囲に含まれる。
【符号の説明】
【００２６】
１００  ポリッシャー用パット
１０    パット本体
１０ａ  第１の面
１０ｂ  第２の面
１０ｃ  外周部
１１  面ファスナー
１２  ポリエステル
１３  スポンジ
２０  開口
Ｋ    混錬部材
【図１】
0003220767.tif 000003
【手続補正書】
【提出日】平成31年2月9日(2019.2.9)
【手続補正１】
【補正対象書類名】実用新案登録請求の範囲
【補正対象項目名】全文
【補正方法】変更
【補正の内容】
【実用新案登録請求の範囲】
【請求項１】
円盤状に形成されており、第１の面と第２の面と外周部を有するパット本体と、前記円盤状の中心部に設けられた円形の開口を有し、電動ポリッシャーの回転するパット台に前記第１の面が貼り付けられた状態で、前記第２の面を床面に接触させることにより、前記床面の洗浄、ツヤダシ及びワックス剥離をするポリッシャー用パットであって、
前記外周部に複数の部材が混錬された混錬部材が含浸されていることを特徴とするポリッシャー用パット。
【請求項２】
前記混錬部材の複数の部材は、フッ素樹脂、シリコン、タルク及びアクリルエラストマエマルジョン樹脂であり、
前記アクリルエラストマエマルジョン樹脂をバインダーとして、前記フッ素樹脂、シリコン及びタルクが混錬された前記混錬部材を、前記外周部に塗布し含浸させ固着させることを特徴とする請求項１に記載のポリッシャー用パット。
【請求項３】
前記混錬部材の前記外周部への含浸は、５ｍｍから１０ｍｍの前記パット本体の内部までであることを特徴とする請求項２に記載のポリッシャー用パット。
【請求項４】
前記パット台に前記第１の面を貼り付ける機能は、面ファスナーであることを特徴とする請求項２または請求項３に記載のポリッシャー用パット。
【請求項５】
前記パット本体は、前記第１の面を有する前記面ファスナーで形成された部材と、前記第２の面を有するポリエステルで形成された部材と、前記面ファスナーで形成された部材と前記ポリエステルで形成された部材の間に設けられたウレタンスポンジまたはメラニンスポンジで形成された部材を有することを特徴とする請求項４に記載のポリッシャー用パット。
【請求項６】
前記混錬部材の複数の部材は、粉砕したクルミの殻または杏子の種を、さらに有することを特徴とする請求項２から請求項５のいずれかに記載のポリッシャー用パット。
【請求項７】
前記開口部にパイプが嵌め込まれ、前記パイプを回転させながら前記外周部に前記混錬部材を塗布することを特徴とする請求項２から請求項６に記載のポリッシャー用パット。
【請求項８】
前記回転は、ギャドモーターを用いて０から数十回の回転をするように制御されることを特徴とする請求項７に記載のポリッシャー用パット。